(57)【要約】【課題】樹脂製部品の発火を防止できる建具を提供すること。【解決手段】上げ下げ窓１は、窓枠１０と、上部障子２０と、下部障子３０とを備えており、下部障子３０は、係合部が設けられたアルミ製本体部と樹脂製覆部とによって構成される上框３１と、上框３１の係合部に被係合部で係合して取り付けられる樹脂製部品である上部摺動部材３６と、上部摺動部材３６の近傍に配置された加熱発泡材３７とを備えて構成される。上部摺動部材３６は、加熱発泡材３７の加熱発泡時に当該加熱発泡材３７により押圧させることによって上框３１の係合部との係合を解除可能に構成される。【選択図】図１
2015224432.tif 000002
【特許請求の範囲】
【請求項１】
建具を構成する金属製建具部材に設けられた係合部に樹脂製部品の被係合部を係合して前記金属製建具部材に前記樹脂製部品を取り付けた建具であって、
前記樹脂製部品の近傍には、加熱発泡材が配置され、前記樹脂製部品は、前記加熱発泡材の加熱発泡時に前記加熱発泡材により押圧されることによって前記金属製建具部材の前記係合部との係合を解除可能に構成される
ことを特徴とする建具。
【請求項２】
請求項１に記載の建具において、
前記係合部は、係合凸部および係合凹部のうちのいずれか一方によって構成されており、
前記被係合部は、係合凸部および係合凹部のうちのいずれか他方によって構成される
ことを特徴とする建具。
【請求項３】
請求項１または請求項２に記載の建具において、
前記樹脂製部品は、ポリアセタール樹脂部を有して形成されており、前記ポリアセタール樹脂部は前記金属製建具部材の摺動部材として用いられる
ことを特徴とする建具。
【請求項４】
請求項３に記載の建具において、
窓枠と、金属製框材をそれぞれ有した上部障子および下部障子とを備えた上げ下げ窓によって構成されており、
前記金属製建具部材は、前記金属製框材によって構成されており、
前記下部障子の金属製框材は、上框、下框および左右の縦框を形成しており、
前記上框の端部には、前記窓枠に沿って摺動可能な上部摺動部材が取り付けられており、
前記上部摺動部材は、前記上框の端部に係合される被係合部を備えており、
前記被係合部は、前記上部摺動部材の室外側部分および室内側部分のうちのいずれか一方に形成された係合凸部と、前記上部摺動部材の前記室外側部分および前記室内側部分のうちのいずれか他方に形成された被嵌合部とによって構成されており、
前記上框は、前記被係合部が係合可能な係合部を備えており、
前記係合部は、前記上框の室外側部分および室内側部分のうちのいずれか一方に形成された係合凹部と、前記上框の室外側部分および前記上框の室内側部分のうちのいずれか他方に形成された嵌合部とによって構成されており、
前記被嵌合部は、前記嵌合部と嵌合可能であるとともに、嵌合状態において前記上框の長さ方向にスライド移動可能に構成されており、
前記係合凸部は、前記係合凹部と係合可能に構成されており、
前記加熱発泡材は、前記上部摺動部材に対し下方に位置する前記上框の下方部分に設けられる
ことを特徴とする建具。
【請求項５】
請求項４に記載の建具において、
前記上框は、室外側見付け片と、室内側見付け片と、室外側見付け片および室内側見付け片間に位置する見込み片とを備えており、
前記加熱発泡材は、前記上部摺動部材の下方に位置する前記見込み片に設けられており、
前記係合凹部は、前記室外側見付け片および前記室内側見付け片のうちのいずれか一方に形成されており、
前記嵌合部は、前記室外側見付け片および前記室内側見付け片のうちのいずれか他方に形成されており、
前記室内側見付け片の上部先端は、前記室外側見付け片の上部先端よりも低い位置に設けられる
ことを特徴とする建具。
【発明の詳細な説明】
【技術分野】
【０００１】
本発明は、枠体に開閉自在に支持される面材を有した上げ下げ窓や引違い窓等の窓、戸、ドアなどの建具に関する。
【背景技術】
【０００２】
住宅等の外壁開口部に設けられる建具として、上下一対の障子のうち、外障子が窓枠の上部に固定されるとともに、内障子が窓枠に上下スライド開閉自在に設けられた上げ下げ窓が知られている（例えば、特許文献１参照）。
【０００３】
この上げ下げ窓では、内障子の上框の両端に上部摺動片が取り付けられ、下框の両端に下部摺動片が取り付けられ、窓枠の縦枠に対する上部摺動片および下部摺動片の摺動によって内障子が縦枠に沿って昇降可能に構成されている。
また、下部摺動片は縦枠内に収納されているとともに、ピンを介して下框の両端に回転可能に連結されており、上部摺動片は、縦枠側に対し出没操作可能なラッチを備えている。このため、上部摺動片のラッチを没入操作して縦枠との係合を解除することによって、内障子は内倒し可能状態となる。
【０００４】
このような上げ下げ窓では、上部摺動片（少なくともラッチ）は、縦枠に対する摺動摩擦抵抗の低減や耐摩耗性の向上の観点より、金属製材料ではなく、摺動性および耐摩耗性に優れた樹脂製材料によって形成されている。
【先行技術文献】
【特許文献】
【０００５】
【特許文献１】特開２００３−３２８６５５号公報
【発明の概要】
【発明が解決しようとする課題】
【０００６】
ところで、上部摺動片は、金属製材料によって構成される窓枠や框等の溶融温度よりも低い温度で発火する樹脂製部品によって構成されているため、火災時等に加熱された場合に発火しやすく、建具の防火性の向上を図り難い。
【０００７】
ここで、例えば上部摺動片の大部分を樹脂製材料から金属製材料に置換した場合、酸化指数が高い樹脂部分を減らせるため、発火し難い構成となるが、金属製材料の増加によって室内外間の断熱性が低下するとともに、部品の成形が難しくなり、かつ高価となるおそれがある。
【０００８】
また、前述した樹脂製材料によって形成される上部摺動片の発火は、上げ下げ窓などの建具の各箇所に取り付けられる樹脂製部品にも同様に生じるおそれがあるため、これらの樹脂製部品の発火を防止することが望まれる。
【０００９】
本発明の目的は、樹脂製部品の発火を防止できる建具を提供することにある。
【課題を解決するための手段】
【００１０】
本発明の建具は、建具を構成する金属製建具部材に設けられた係合部に樹脂製部品の被係合部を係合して前記金属製建具部材に前記樹脂製部品を取り付けた建具であって、前記樹脂製部品の近傍には、加熱発泡材が配置され、前記樹脂製部品は、前記加熱発泡材の加熱発泡時に前記加熱発泡材により押圧されることによって前記金属製建具部材の前記係合部との係合を解除可能に構成される
ことを特徴とする。
【００１１】
本発明の建具によれば、火災時等の熱によって軟化し、金属製建具部材への取付け状態が弱まった樹脂製部品を、加熱発泡する加熱発泡材の膨張によって押し出すことで、樹脂製部品を建具から脱落させることができる。これにより、金属製建具部材の溶融等よりも先に発火する可能性のある樹脂製部品を建具から自動的に分離させることができ、樹脂製部品の発火に起因する建具の温度上昇や発火などを防止できる。
【００１２】
また、本発明の建具によれば、被係合部の係合部への係合によって樹脂製部品を金属製建具部材に確実に取り付けることができる。また、火災時等の熱によって樹脂製部品が軟化した場合、被係合部の係合部との係合が弱まるため、この係合を容易に解除可能となる。このため、平常時には、樹脂製部品を金属製建具部材にしっかりと取り付けておくことができる一方、火災時等における温度上昇時には、樹脂製部品の軟化を利用して係合部から被係合部を離脱させることができ、加熱発泡材の発泡によって発火原因となり得る樹脂製部品を建具から自動的に脱落させることができる。
さらに、樹脂製部品を備えた既設の建具に対し、樹脂製部品を押し出して脱落可能な位置に加熱発泡材を配置するだけで、金属製建具部材と係合する既存の樹脂製部品の材質や形状を変更しなくても当該既設の建具を防火用に簡単に仕様変更でき、利便性のよい防火用の建具を安価に提供できる。
【００１３】
本発明の建具では、前記係合部は、係合凸部および係合凹部のうちのいずれか一方によって構成されており、前記被係合部は、係合凸部および係合凹部のうちのいずれか他方によって構成されることが好ましい。
このような構成によれば、係合凸部および係合凹部のうちのいずれか一方は金属製材料によって構成されるのに対し、係合凸部および係合凹部のうちのいずれか他方は樹脂製材料によって構成されるので、前述と同様に、平常時は樹脂製部品を金属製建具部材にしっかりと取り付けておくことができる一方、火災時等における温度上昇時には、係合凸部および係合凹部のうちのいずれか他方の軟化に基づいて容易に係合解除可能な状態にでき、加熱発泡材の発泡によって樹脂製部品を押し出し、建具から脱落させることができる。
【００１４】
本発明の建具では、前記樹脂製部品は、ポリアセタール樹脂部を有して形成されており、前記ポリアセタール樹脂部は前記金属製建具部材の摺動部材として用いられることが好ましい。
このような構成によれば、摺動性に優れる反面、酸化指数が高く発火しやすいポリアセタール樹脂部を金属製建具部材の摺動部材として用いても、火災時などの温度上昇時における加熱発泡材の膨張によって樹脂製部品を押し出して建具から脱落させることができる。
【００１５】
本発明の建具は、窓枠と、金属製框材をそれぞれ有した上部障子および下部障子とを備えた上げ下げ窓によって構成されており、前記金属製建具部材は、前記金属製框材によって構成されており、前記下部障子の金属製框材は、上框、下框および左右の縦框を形成しており、前記上框の端部には、前記窓枠に沿って摺動可能な上部摺動部材が取り付けられており、前記上部摺動部材は、前記上框の端部に係合される被係合部を備えており、前記被係合部は、前記上部摺動部材の室外側部分および室内側部分のうちのいずれか一方に形成された係合凸部と、前記上部摺動部材の前記室外側部分および前記室内側部分のうちのいずれか他方に形成された被嵌合部とによって構成されており、前記上框は、前記被係合部が係合可能な係合部を備えており、前記係合部は、前記上框の室外側部分および室内側部分のうちのいずれか一方に形成された係合凹部と、前記上框の室外側部分および前記上框の室内側部分のうちのいずれか他方に形成された嵌合部とによって構成されており、前記被嵌合部は、前記嵌合部と嵌合可能であるとともに、嵌合状態において前記上框の長さ方向にスライド移動可能に構成されており、前記係合凸部は、前記係合凹部と係合可能に構成されており、前記加熱発泡材は、前記上部摺動部材に対し下方に位置する前記上框の下方部分に設けられることが好ましい。
このような構成によれば、上部摺動部材を上框の端部から挿入することによって、被嵌合部を嵌合部に嵌合でき、上部摺動部材の上框に対する大体の位置決めを行える。そして、上部摺動部材や上框を若干撓めながら当該上部摺動部材を上框にさらに挿入することによって、係合凸部を係合凹部に係合できる。このようにして、上部摺動部材を上框に簡単に係合させることができる。
また、火災時等における温度上昇時には、例えば１００℃程度で樹脂製本体が軟化して被係合部が係合部から離脱可能な状態となり、更なる温度上昇時であって上部摺動部材が発火する温度（例えば４００〜４５０℃程度）よりも低い温度時（例えば２００℃程度）には、加熱発泡材が発泡により膨張して樹脂製本体の下部に当接し、上部摺動部材を上方に向かって押し出すため、上部摺動部材を発火前に上框から脱落させることができる。
【００１６】
本発明の建具では、室外側見付け片と、室内側見付け片と、室外側見付け片および室内側見付け片間に位置する見込み片とを備えており、前記加熱発泡材は、前記上部摺動部材の下方に位置する前記見込み片に設けられており、前記係合凹部は、前記室外側見付け片および前記室内側見付け片のうちのいずれか一方に形成されており、前記嵌合部は、前記室外側見付け片および前記室内側見付け片のうちのいずれか他方に形成されており、前記室内側見付け片の上部先端は、前記室外側見付け片の上部先端よりも低い位置に設けられることが好ましい。
このような構成によれば、上框の室内側見付け片の上部先端が室外側見付け片の上部先端よりも低い位置に設けられることで、加熱発泡材の発泡に基づき、樹脂製部品を室内側に向かって斜め上方向に押し出すことができ、これにより、より円滑に樹脂製部品を建具から脱落させることができる。
【発明の効果】
【００１７】
本発明によれば、樹脂製部品の発火を防止できる建具を提供できる。
【図面の簡単な説明】
【００１８】
【図１】本発明の実施形態に係る建具を示す縦断面図。
【図２】図１のＩＩ−ＩＩ線に沿った横断面図。
【図３】前記建具を室内側から見た内観姿図。
【図４】前記建具の下部障子の上框および上部摺動部材を説明するための斜視図。
【図５】図４のＶ−Ｖ線に沿った縦断面図。
【図６】前記建具の加熱発泡材の発泡状態を示す説明図。
【図７】本発明の変形例に係る建具を示す横断面図。
【発明を実施するための形態】
【００１９】
［本実施形態の構成］
以下、本発明の実施形態を図面に基づいて説明する。
図１〜３において、上げ下げ窓１は、戸建て住宅等の建物の外壁開口部に設けられて建物の室内空間と室外空間とを仕切る本実施形態に係る建具であって、上枠１１、下枠１２、および左右の縦枠１３を四周枠組みした窓枠１０と、この窓枠１０の内側に支持された上部障子２０（外障子）および下部障子３０（内障子）とを備えて構成されている。
【００２０】
窓枠１０の上枠１１、下枠１２並びに左右の縦枠１３は、室外側に位置するアルミ製の押出し形材と室内側に位置する樹脂製材料とが組み合わされた複合体によって形成されている。
上部障子２０は、上框２１、下框２２および左右の縦框２３を四周框組みした内部に、ガラスパネル２４（複層ガラス）を嵌め込んで構成されている。上框２１および左右の縦框２３は、アルミ製の押出し形材と樹脂製材料とが組み合わされた複合体によって形成されており、下框２２は、アルミ製の押出し形材によって形成されている。
下部障子３０は、金属製建具部材としての上框３１、下框３２および左右の縦框３３を四周框組みした内部に、ガラスパネル３４（複層ガラス）を嵌め込んで構成されている。上框３１、下框３２および左右の縦框３３は、室外側に位置するアルミ製の押出し形材と室内側に位置する樹脂製材料とが組み合わされた複合体によって形成されている。窓枠１０、上部障子２０および下部障子３０に使用される樹脂製材料は、後述する樹脂製部品を除き、ポリ塩化ビニル樹脂（ＰＶＣ）によって構成されている。なお、ＰＶＣは、火炎から離されていれば消火する自己消火性に優れるため、これ自体が火炎に直接さらされない限り、発火可能性は低い。
【００２１】
上部障子２０は、窓枠１０の上枠１１および縦枠１３に位置決めされて固定された固定障子であり、下部障子３０よりも室外側に設けられている。
下部障子３０は、窓枠１０の縦枠１３に案内され、上部障子２０の室内側に沿って上下スライド開閉可能に支持された可動障子である。
これらの上部障子２０の下框２２（外召合せ框）と下部障子３０の上框３１（内召合せ框）とが見込み方向に重なると、上げ下げ窓１が閉じられるようになっている。
下部障子３０の上框３１の略中央部にはクレセント錠３５が設けられ、上部障子２０の下框２２には錠受け２５が設けられており、上部障子２０および下部障子３０を閉じた状態でクレセント錠３５を錠受け２５に係合させることで、上げ下げ窓１が施錠されるようになっている。
【００２２】
窓枠１０の縦枠１３は、見込み方向に延びる見込み片部１３１と、この見込み片部１３１の室内側、中間部、および室外側からそれぞれ見付け方向内側に延びる室内側見付け片１３２、中間部見付け片１３３、および室外側見付け片１３４とを有して形成されている。
下部障子３０は、上框３１の両端に設けられた樹脂製部品としての上部摺動部材３６（上部摺動片）と、下部障子３０の下端部に連結された下部摺動部材（下部摺動片、図示せず）とが、縦枠１３の室内側見付け片１３２および中間部見付け片１３３間に案内されることで上下スライド可能に構成されている。また、下部障子３０の加熱発泡により膨張して上部摺動部材３６を建具外部に向かって押出し可能な位置、つまり上部摺動部材３６の近傍に加熱発泡材３７が配置されている。
上部障子２０は、縦枠１３の中間部見付け片１３３および室外側見付け片１３４間に設けられる固定装置５０によって、下辺両端部である下框２２の端部および縦框２３の下端部が支持されるとともに、上辺両端部である上框２１の端部および縦框２３の上端部に取り付けた位置決め部材６０が上枠１１によって位置決めされることで窓枠１０に固定されている。下框２２には、室内側から上方に延出した延出片２２Ａが設けられている。
【００２３】
下部障子３０の上框３１は、例えば図４，５に示すように、アルミ製本体部３１１と、アルミ製本体部３１１の周囲を覆って位置する樹脂製覆部３１８とを備えており、樹脂製覆部３１８がアルミ製本体部３１１に係合している。これらのアルミ製本体部３１１と樹脂製覆部３１８とによって複合体としての上框３１が構成されている。なお、クレセント錠３５は、樹脂製覆部３１８の見込み片に設置され、アルミ製本体部３１１にビス止めされている。
【００２４】
アルミ製本体部３１１は、室外側部分である室外側見付け片３１２と、上側見込み片３１３と、下側見込み片３１４と、室内側部分である室内側見付け片３１５と、二つの垂下片３１６とを備えて構成されており、樹脂製覆部３１８の両端から突出している。
室内側見付け片３１５の両端部の上部先端は、室外側見付け片３１２の両端部の上部先端よりも低い位置に設けられている。室外側見付け片３１２の上部には、樹脂製覆部３１８の室外側端部が係合する係合溝３１２Ａが形成されており、室内側見付け片３１５の下部には、樹脂製覆部３１８の室内側端部が係合する係合溝３１５Ａが形成されている。
【００２５】
上側見込み片３１３および室内側見付け片３１５の長さ方向の両端部は、上部摺動部材３６が挿入可能に切り欠かれている。当該両端部において、上側見込み片３１３は、室外側部分を残して切り欠かれており、室内側見付け片３１５は、その上部が切り欠かれている。
上側見込み片３１３の端部と室外側見付け片３１２の係合溝３１２Ａを形成する溝形成部３１２Ｂとは、上部摺動部材３６が左右方向にスライド移動可能に嵌合する嵌合部３１７を構成している。室内側見付け片３１５には、係合凹部としての係合角孔３１５Ｂが形成されている。
【００２６】
二つの垂下片３１６は、下側見込み片３１４の室外側端部と当該室外側端部よりも室内側の部分との二位置から下方に延びて形成されている。下部障子３０が閉鎖位置（図１参照）にある際、二つの垂下片３１６間には、上部障子２０の延出片２２Ａが位置する。室内側の垂下片３１６は、樹脂製覆部３１８の垂下片との間でスチール鋼板などとともにガラスパネル３４の上部を挟持している。
【００２７】
上部摺動部材３６は、図４，５に示すように、ナイロン（ＰＡ６）製の中空の樹脂製本体３６１と、樹脂製本体３６１に内蔵されている樹脂製ラッチ３６２と、樹脂製ラッチ３６２に連結されている操作部としてのつまみ３６３とを備えて構成されている。
樹脂製ラッチ３６２は、ポリアセタール樹脂部（ＰＯＭ）として構成されている。ここで、ポリアセタール樹脂は、摺動性および耐摩耗性に優れるため、縦枠１３との摺動部品である樹脂製ラッチ３６２の樹脂製材料として好適である。しかし、ポリアセタール樹脂は、酸化指数が高くて発火しやすく（４００℃程度で発火可能性あり）、防火面において好ましくない性質をも有している。
また、樹脂製ラッチ３６２は、樹脂製本体３６１の縦枠１３側の端部から出没可能に設けられており、コイルバネ等の付勢部材（図示しない）によって縦枠１３側に向かって弾性付勢されている。
つまみ３６３は、樹脂製本体３６１の上部に装着されているとともに、樹脂製ラッチ３６２に連結されており、左右方向の移動操作により樹脂製ラッチ３６２を出没操作可能に構成されている。
【００２８】
樹脂製本体３６１は、その室外側部分に形成された被嵌合部としての嵌合溝３６４と、その室内側部分に形成された被係合部としての係合凸部３６５とを備えて構成されている。
嵌合溝３６４は、樹脂製本体３６１の縦枠１３側とは反対側の端部から左右方向に延びて形成されており、図５に示すようにアルミ製本体部３１１の上側見込み片３１３および溝形成部３１２Ｂに当接して嵌合部３１７に嵌合可能に構成されている。
係合凸部３６５は、上部摺動部材３６が上框３１の端部に取り付けられた場合にはアルミ製本体部３１１に形成してある係合角孔３１５Ｂに配置されている。
このような樹脂製本体３６１が上框３１に取り付けられると、樹脂製本体３６１の上部およびつまみ３６３は建具外部に露呈し、樹脂製本体３６１の下部は、アルミ製本体部３１１の内部に位置する。
【００２９】
下部障子３０の下部摺動部材は、縦枠１３に上下スライド可能に支持されているとともに、下部障子３０を回転可能に支持している。このため、上部摺動部材３６のつまみ３６３が操作されて樹脂製ラッチ３６２が没入され、縦枠１３との係合状態が解除された場合には、下部障子３０は内倒し可能状態となる。なお、下部障子３０が閉鎖位置にある場合には、延出片２２Ａが二つの垂下片３１６間に位置するために内倒しできない。
【００３０】
加熱発泡材３７は、熱膨張黒鉛シートによって構成されており、アルミ製本体部３１１の両端部に設けられている。具体的には、加熱発泡材３７は、下側見込み片３１４の上面に設けられているとともに上部摺動部材３６の下方に位置している。このように設けられた加熱発泡材３７は、例えば温度が２００℃程度以上に加熱されると、発泡して２０倍程度に膨張し、樹脂製本体３６１の下面３６１Ａを上方に向かって押圧可能である。
なお、前述した加熱発泡材３７は、上部摺動部材３６の加熱時脱落用に設けられたものであり、このほかにも、窓枠１０、上部障子２０および下部障子３０には隙間遮断用の加熱発泡材３８が、その発泡時に窓枠１０と障子２０，３０との間を塞いで火炎や空気の流入を遮断するために、適宜設けられている。
【００３１】
固定装置５０は、縦枠１３の見込み片部１３１に固定される受け材５１と、この受け材５１に対して着脱自在かつ固着可能に設けられるとともに上部障子２０の下辺部を支持可能な略Ｌ字形状の固定材５２とを有して構成されている。固定材５２は下框２２にビス止めされている。固定材５２は、樹脂製（ＡＳＡ）の固定材カバー５３によって覆われている。
【００３２】
［本実施形態の作用］
以下、本実施形態に係る上げ下げ窓１の作用について説明する。例えば、室外側において火災が発生した場合は次の通りである。
室外側での火災時、上げ下げ窓１は、室外側から輻射熱を受けて次第に温度上昇する。
温度が１００℃程度まで上昇した場合、上部摺動部材３６の樹脂製本体３６１は軟化しはじめ、嵌合部３１７および嵌合溝３６４の嵌合強度と係合凸部３６５および係合角孔３１５Ｂの係合強度とが温度上昇とともに徐々に低下する。
温度が２００℃程度まで上昇した場合、図６に示すように、加熱発泡材３７は発泡し、膨張しながら樹脂製本体３６１の下面３６１Ａを上方に向かって押圧する。押圧される樹脂製本体３６１は、変形しながら嵌合部３１７および嵌合溝３６４の嵌合と係合凸部３６５および係合角孔３１５Ｂの係合とを解除する。前述した嵌合および係合の解除後、加熱発泡材３７はさらに膨張して上部摺動部材３６を上方に押し出し、温度が４００℃程度にまで温度上昇する前に上框３１から脱落させる。
また、加熱発泡材３７が発泡する温度では、加熱発泡材３８も発泡し、窓枠１０、上部障子２０および下部障子３０の予め設定した各箇所の空間を閉塞し、室外側から室内側への火炎の吹込みなどを防止する。
なお、アルミ製本体部３１１などのアルミ製建具材料は、溶融温度が６１５℃〜６５５℃であるため、４００℃前後では溶融することがなく、形状を維持して防火可能である。
このようにして、温度上昇時に上部摺動部材３６を上げ下げ窓１から脱落させることで、上部摺動部材３６（特に樹脂製ラッチ３６２）の発火を防止する。
【００３３】
［本実施形態の効果］
このような本実施形態によれば、以下のような効果がある。
（１）火災時等の熱によって軟化し、上框３１への取付け状態が弱まった上部摺動部材３６を、加熱発泡材３７の膨張によって建具外部に向かって押し出すことで、上部摺動部材３６を上框３１から脱落させることができる。これにより、上框３１などの金属製建具部材の溶融よりも先に発火する可能性のある上部摺動部材３６（特に樹脂製ラッチ３６２）を上げ下げ窓１から自動的に分離させることができ、上部摺動部材３６の発火を防止でき、上部摺動部材３６の発火に起因する上げ下げ窓１の温度上昇や発火などを防止できる。
また、嵌合部３１７および嵌合溝３６４の嵌合と係合凸部３６５および係合角孔３１５Ｂの係合とによって、上部摺動部材３６を上框３１のアルミ製本体部３１１に確実に取り付けることができる。また、火災時等の熱によって上部摺動部材３６が軟化した場合に、前述した嵌合および係合が弱まるため、この嵌合、係合を容易に解除可能となる。このため、上部摺動部材３６の軟化を利用して前述した嵌合および係合を解除できる。
さらに、上部摺動部材３６を備えた既設の上げ下げ窓１に対し、上部摺動部材３６を押し出して脱落可能な近傍位置に加熱発泡材３７を配置するだけで、既存の上部摺動部材３６の材質や形状を変更しなくても既設の上げ下げ窓１を防火用に簡単に仕様変更でき、防火用の上げ下げ窓１を安価に提供できる。
（２）上部摺動部材３６の上框３１への係合は、係合角孔３１５Ｂや係合凸部３６５といった簡単な構成であるため、既設の上げ下げ窓１を加工して係合角孔３１５Ｂや係合凸部３６５を簡単に形成できる。また、係合角孔３１５Ｂがアルミ製本体部３１１に形成され、係合凸部３６５が樹脂製本体３６１に形成されるので、平常時には、上部摺動部材３６をアルミ製本体部３１１でしっかりと保持しておくことができ、他方、火災時等における温度上昇時には、樹脂製本体３６１の係合凸部３６５の軟化に基づいて係合角孔３１５Ｂと係合凸部３６５との係合を容易に解除可能な状態にでき、加熱発泡材３７の発泡によって上部摺動部材３６を容易に押し出して脱落させることができる。
【００３４】
（３）摺動性能は良いが、酸化指数が高く発火しやすいポリアセタール樹脂部を樹脂製材料として樹脂製ラッチ３６２に採用しても、加熱発泡材３７の発泡により、発火温度に達する前に上部摺動部材３６を上げ下げ窓１から脱落させることができる。
（４）上部摺動部材３６を上框３１の端部から挿入することによって、嵌合溝３６４に嵌合部３１７を嵌合でき、上部摺動部材３６の上框３１に対する大体の位置決めを行える。そして、樹脂製本体３６１やアルミ製本体部３１１を若干撓めながら上部摺動部材３６を上框３１にさらに挿入することによって、係合凸部３６５を係合角孔３１５Ｂに係合できる。このようにして、上部摺動部材３６を上框３１に簡単に係合させることができる。
また、火災時等における温度上昇時には、例えば１００℃程度で樹脂製本体３６１が軟化して上部摺動部材３６の上框３１との係合が容易に解除可能な状態となり、更なる温度上昇時であって上部摺動部材３６の樹脂製ラッチ３６２が発火する温度（４００℃程度）よりも低い温度時（例えば２００℃程度）には、加熱発泡材３７が発泡により膨張して樹脂製本体３６１の下部に当接し、上部摺動部材３６を上方に向かって押し出すため、上部摺動部材３６を発火前に上框３１から脱落させることができる。
（５）室内側見付け片３１５の長さ方向の両端部における上部先端が、室外側見付け片３１２の長さ方向の両端部における上部先端よりも低い位置に設けられているので、加熱発泡材３７の発泡に基づき、上部摺動部材３６を室内側に向かって斜め上方向に押し出すことができる。これにより、上部摺動部材３６を建具からより円滑に脱落させることができる。
【００３５】
［変形例］
なお、本発明は以上の実施形態で説明した構成のものに限定されず、本発明の目的を達成できる範囲での変形例は、本発明に含まれる。
例えば、前記実施形態では、係合凸部３６５が上部摺動部材３６に設けられ、かつ係合角孔３１５Ｂが上框３１に設けられているが、これとは逆に、係合凸部が上框３１に設けられ、かつ係合角孔などの係合凹部が上部摺動部材３６に設けられていてもよい。
また、前記実施形態では、係合角孔３１５Ｂを係合凹部として構成したが、これに限定されず、例えば、円孔などの各種の孔や各種の切欠きによって構成されていてもよい。
【００３６】
前記実施形態では、アルミ製材料と樹脂製材料との複合体によって金属製建具部材としての上框３１が構成されているが、これに限定されず、アルミ製の押出し形材のみによって構成されていてもよい。また、上框３１に使用される金属製材料は、前述したアルミ製材料に限らず、スチール鋼板などであってもよい。
【００３７】
前記実施形態では、樹脂製部品としての上部摺動部材３６を加熱時脱落可能となるように加熱発泡材３７を配設したが、これに代えてまたは加えて、各種樹脂製部品を建具外部に向かって押出し可能な位置に加熱発泡材３７を設けてもよい。例えば、樹脂製部品としての固定材カバー５３を押出し可能に縦枠１３に加熱発泡材３７を設けてもよい。また、上部障子２０の左右の縦框２３などに出没可能に設けられた樹脂製部品としての補助錠（サブロック）を建具外部に向かって押出し可能な位置（例えば縦框２３の内部）に加熱発泡材３７を設けてもよい。
【００３８】
前記実施形態では、上げ下げ窓１を建具として説明したが、これに限定されず、各種の窓を建具としてもよく、例えば、図７に示すような引違い窓１Ａを建具としてもよい。図７に示す引違い窓１Ａでは、外障子２０Ａの縦框２３Ａおよび内障子３０Ａの縦框３３Ａの開口孔に樹脂製部品としての把手２９，３９が取り付けられており、縦框２３Ａ，３３Ａの内部に加熱発泡材３７が設けられており、把手２９，３９よりも室内側に位置している。このような引違い窓１Ａでは、温度上昇時に加熱発泡材３７が発泡して膨張し、把手２９，３９を室外側に押出して脱落可能な構成とされている。
【００３９】
前記実施形態では、上げ下げ窓１を建具として説明したが、これに限定されず、前述した各種の窓のほかにも、引戸枠、引戸框などを備えた戸や、ドア枠、ドア框を備えたドアなどによって構成されていてもよい。
また、樹脂製部品としては、前述した上部摺動部材３６、補助錠、把手２９，３９に限定されず、建具に取り付けられる各種の樹脂部品によって構成されてもよい。
【符号の説明】
【００４０】
１…上げ下げ窓（建具）、１Ａ…引違い窓（建具）、１０…窓枠、１１…上枠、１２…下枠、１３…縦枠、１３１…見込み片部、１３２，３１５…室内側見付け片、１３３…中間部見付け片、１３４，３１２…室外側見付け片、２０…上部障子、２０Ａ…外障子、２１，３１…上框、２２，３２…下框、２２Ａ…延出片、２３，２３Ａ，３３，３３Ａ…縦框、２４，３４…ガラスパネル、２５…錠受け、２９，３９…把手、３０…下部障子、３０Ａ…内障子、３１１…アルミ製本体部、３１２Ａ…係合溝、３１２Ｂ…溝形成部、３１３…上側見込み片、３１４…下側見込み片、３１５Ａ…係合溝、３１５Ｂ…係合角孔、３１６…垂下片、３１７…嵌合部、３１８…樹脂製覆部、３５…クレセント錠、３６…上部摺動部材、３６１…樹脂製本体、３６１Ａ…下面、３６２…樹脂製ラッチ、３６３…つまみ、３６４…嵌合溝、３６５…係合凸部、３７，３８…加熱発泡材、５０…固定装置、５１…受け材、５２…固定材、５３…固定材カバー、６０…位置決め部材。
【図１】
2015224432.tif 000003
【図２】
2015224432.tif 000004
【図３】
2015224432.tif 000005
【図４】
2015224432.tif 000006
【図５】
2015224432.tif 000007
【図６】
2015224432.tif 000008
【図７】
2015224432.tif 000009